(57)【要約】【課題】短期的な価格の推移をリアルタイムに表現可能であるとともに、短期的なトレンドの方向性を読み取ることが可能なチャート表示装置を提供する。【解決手段】ティック値段と出来高を含む約定データを配信サーバから取得するデータ取得処理部２２と、データ取得処理部が取得する約定データ中に交互に現れる第１のティック値段と第２のティック値段からなるティック値段ペアに対し、第１のティック値段の出来高と第２のティック値段の出来高を合計するデータ集計処理部２３と、合計された第１の出来高と第２の出来高を第１のティック値段及び第２のティック値段に夫々関連づけたチャートを表示装置に表示するチャート表示処理部２７ｂと、を備える。【選択図】図５
2015156188.tif 000002
【特許請求の範囲】
【請求項１】
取引所において売買取引される取引対象の値動きをチャート表示するチャート表示装置であって、
前記取引対象に対して行われた各取引における売買価格、売買高及び取引時刻を含む取引情報を、ネットワークを介して取引所側装置から取得するデータ取得処理部と、
前記取引情報中において交互に現れる第１の売買価格及び第２の売買価格よりなる一つ以上の売買価格ペアの夫々について、前記第１の売買価格で行われた取引の全売買高と前記第２の売買価格で行われた取引の全売買高を集計するデータ集計処理部と、
各売買価格ペア毎に、前記第１の売買価格及び前記第２の取引価格に前記全売買高を夫々関連づけたチャートを表示装置に表示する処理を行うチャート表示処理部と、
を備えることを特徴とするチャート表示装置。
【請求項２】
請求項１に記載のチャート表示装置において、
前記取引対象は、前記取引所側装置から供給される板情報に基づいて売買される株式であり、
前記売買価格ペアにおいて、前記第１の売買価格は前記板情報に含まれる売り注文のうち最も優先される売り気配値に基づく売買価格であり、前記第２の売買価格は前記板情報に含まれる買い注文のうち最も優先される買い気配値に基づく売買価格であり、
前記売買価格ペアは、前記売り注文又は前記買い注文の消化に伴って変化することを特徴とするチャート表示装置。
【請求項３】
請求項１又は２に記載のチャート表示装置において、
前記チャートにおいて、時間軸を一方の軸とし、売買価格を他方の軸とし、前記売買価格ペアに含まれる取引時刻に基づいて各売買価格ペアを表す領域を前記一方の軸に沿って並べて表示し、且つ各売買価格を示す領域を前記他方の軸に沿って並べて表示することを特徴とするチャート表示装置。
【請求項４】
請求項１乃至３の何れか一項に記載のチャート表示装置において、
各売買価格ペアにおける最終の取引時刻間の時間に基づいて一つの売買価格ペアによる取引が継続した継続期間を演算する継続期間演算手段と、
前記売買価格ペアごとに前記継続期間に基づく取引速度を視覚的に示すインジケータを前記チャートとともに表示するインジケータ表示処理部と、を備えることを特徴とするチャート表示装置。
【請求項５】
請求項１乃至４の何れか一項に記載のチャート表示装置において、
前記データ取得処理部は、前記市場側の装置に対して行った前記取引対象に対する売買注文における売買価格、取引時刻を含む履歴情報を保持可能な注文管理装置から前記履歴情報を取得し、
前記チャート表示処理部は、前記取引情報に含まれる取引が前記履歴情報に含まれる売買注文と一致すると判断した場合、該取引にかかる売買高を前記第１の売買価格又は前記第２の取引価格の前記全売買高と併せて表示することを特徴とするチャート表示装置。
【請求項６】
データ取得処理部と、データ集計処理部と、チャート表示処理部と、を備え、取引所における取引対象の値動きをチャート表示するチャート表示装置のチャート表示方法であって、
前記データ取得処理部が、前記取引対象に対して行われた各取引における売買価格、売買高及び取引時刻を含む取引情報を、ネットワークを介して取引所側装置から取得するデータ取得ステップと、
前記データ集計処理部が、前記取引情報中において交互に現れる第１の売買価格及び第２の売買価格よりなる一つ以上の売買価格ペアの夫々について、前記第１の売買価格で行われた取引の全売買高と前記第２の売買価格で行われた取引の全売買高を集計する集計ステップと、
前記チャート表示処理部が、各売買価格ペア毎に、前記第１の売買価格及び前記第２の取引価格に前記全売買高を夫々関連づけたチャートを表示装置に表示する処理を行う表示処理ステップと、
を、有することを特徴とするチャート表示方法。
【請求項７】
請求項６に記載のチャート表示方法をコンピュータに実行させるためのチャート表示プログラム。
【発明の詳細な説明】
【技術分野】
【０００１】
本発明は、株式等の値動きチャートを示すチャート表示装置に関する。
【背景技術】
【０００２】
株式やその他金融商品の取引における値動きを表示する手段として（分足）ローソク足が周知である（例えば、特許文献１）。
ローソク足とは、よく知られているように一分（分足）や一時間（時間足）、一日（日足）など一定単位期間における株価などの値動きを表すチャートであり、矩形で示される「実体」によって単位期間における始値と終値を表し、「実体」から延びる「ヒゲ」の高さによって期間中の安値と高値を表現する。
分足や日足のローソク足を一定期間に亘って連続して表示することで、対象銘柄の値動きを把握することが出来る。
【０００３】
しかしながら、特許文献１に記載のローソク足は、所定の単位期間内に行われた売買取引の結果としての始値、終値、安値、高値の所謂４本値を示すのみであり、１本のローソク中に単位期間内の全ての値動き、売買の規模（出来高）等の情報が集約されてしまう。
従ってローソク足は、大まかな値動きのトレンドを表現するには好適であるが短期的なトレンドを読み取るには適さないため、例えばごく短期的に売買を繰り返すようなデイトレードといった取引手法には使用しにくいという問題あった。
【０００４】
特許文献２には、ローソク足の代わりに所定の単位期間毎の約定値段を折れ線グラフで表示するチャートが開示されている。
このようなチャートによれば、単位期間中の値動きがローソク足に完全に集約されること無く個々の約定値段をある程度高い粒度で表示することが出来るためローソク足と比較して短期的な値動きの変動を読み取るのに適している。
【先行技術文献】
【特許文献】
【０００５】
【特許文献１】特開２０１２−０４３０２７公報
【特許文献２】特開２０１２−１１３５５３公報
【発明の概要】
【発明が解決しようとする課題】
【０００６】
しかしながら、このような従来のチャート表示方法によって示される情報は、時系列上の約定時間の羅列に過ぎず、値動きの短期的な方向性をリアルタイムに表現することは出来なかった。
また、どのような要因で株価が値上がり或いは値下がりしたのかという情報を読み取ることが出来ず、値動きのトレンドを読み取ったり予測したりすることも難しかった。
本発明は、上記の課題を鑑みてなされたものであり、従来のチャート（特にローソクチャート）では隠蔽され表現出来なかった短期的な価格の推移をリアルタイムに表現可能であるとともに、短期的なトレンドの方向性を読み取ることが可能なチャートを表示できるチャート表示装置、チャート表示プログラムを提供することを目的とする。
【課題を解決するための手段】
【０００７】
上記の課題を解決するために、本発明は、取引所において売買取引される取引対象の値動きをチャート表示するチャート表示装置であって、前記取引対象に対して行われた各取引における売買価格、売買高及び取引時刻を含む取引情報を、ネットワークを介して取引所側装置から取得するデータ取得処理部と、前記取引情報中において交互に現れる第１の売買価格及び第２の売買価格よりなる一つ以上の売買価格ペアの夫々について、前記第１の売買価格で行われた取引の全売買高と前記第２の売買価格で行われた取引の全売買高を集計するデータ集計処理部と、各売買価格ペア毎に、前記第１の売買価格及び前記第２の取引価格に前記全売買高を夫々関連づけたチャートを表示装置に表示する処理を行うチャート表示処理部と、を備えることを特徴とする。
【発明の効果】
【０００８】
本発明によれば、短期的な価格の推移をリアルタイムに表現可能であるとともに、短期的なトレンドの方向性を読み取ることが可能なチャートを表示可能なチャート表示装置を提供することが出来る。
【図面の簡単な説明】
【０００９】
【図１】本発明の実施の形態に係るチャート表示装置が適用される株式等の売買システムの一例を示す図。
【図２】取引所が仲介業者を介して利用者に提供する「板情報」を説明する図。
【図３】ティックデータの一例を説明する図。
【図４】第１の実施形態に係るチャート表示装置が表示するチャートを説明する図。
【図５】チャート表示装置の機能構成を示す図。
【図６】チャート表示装置における表示設定処理を説明するフローチャート。
【図７】チャート表示装置によるチャート集計・表示処理を説明するフローチャート。
【図８】チャート表示装置における過去モードのチャート表示処理を説明するフローチャート。
【図９】第２の実施形態に係るチャート表示装置が表示するチャートを示した図。
【図１０】第２の実施形態に係るチャート表示装置におけるチャート表示処理を説明するフローチャート。
【図１１】本発明のチャート表示装置において、従来のローソクチャート、テクニカル指標を表示した態様を示す図。
【図１２】図１１に示すチャートの枠線部分の時間帯に対応したティック足チャートを示す図。
【図１３】本発明に係る第１の表示変更処理を説明するフローチャート。
【図１４】本発明に係る第２の表示変更処理を説明するフローチャート。
【発明を実施するための形態】
【００１０】
以下に、図面を参照して本発明の実施の形態を詳細に説明する。
なお、以下の説明では、市場（取引所）において取引される取引対象の例として株式を例にとって説明するが、ＦＸや先物など、その他の金融商品についても適宜適用可能である。
［第１の実施形態］
図１は、本発明の第１の実施形態に係るチャート表示装置を適用が適用される株式等の売買システムの一例を示す図である。
図１に示す売買システムは、株式の取引所（取引所）等に設置された取引所側サーバ装置(取引所側装置)１００と、取引所側装置１００と例えば専用線ネットワークを介して接続された、証券会社等の株式売買仲介業者が運用する仲介サーバシステム２と、仲介サーバシステム２とインターネットやその他のＷＡＮを含むネットワークを介して接続される投資家等の利用者が使用するシステム（利用者システム）１と、を含む。
なお、図１の表示は一例あり、実際は複数の仲介業者が運用する仲介サーバシステム２、複数の利用者が使用する複数の利用者システム１が含まれる。
図１では、取引所側装置１００は単一の装置であるかのように示されているが、売買注文を受け付ける複数の分散サーバ、板情報やティックデータを配信するサーバを含むサーバ群からなっていても良い。
【００１１】
取引所側装置１００は、仲介サーバシステム２から供給される株式等の売買注文を受け付けて約定処理を行うとともに、取引情報（板情報、ティック（約定）データ）を仲介サーバシステム２に供給する。
ティックデータには、ティック値段（売買価格）とその出来高、約定時刻が含まれている。
【００１２】
仲介サーバシステム２は、ネットワークを介して利用者システム１から送信される売買注文を処理して取引所側装置１００に供給する売買処理サーバ２００と、取引所側装置１００から送信される取引情報を保持して利用者システム１に配信する情報受信処理装置２０１と、を備えている。
なお、情報受信処理装置２０１は、取引所側装置１００から送信された取引情報（板情報、ティックデータ）を、過去データデータベース（ＤＢ）に蓄積しておくことが出来る。
取引所側装置１００、売買処理サーバ２００、情報受信処理サーバ２０１の構成については詳細な説明を割愛するが、プログラムを実行するＣＰＵと、プログラムや一時データを展開するワークエリアとしてのＲＡＭ、プログラムやデータを格納するハードディスクやＲＯＭ、ネットワークに接続するためのネットワークアダプタを備えた一般的なパーソナル・コンピュータ、サーバ装置を利用できる。
【００１３】
また、利用者システム１は、仲介サーバシステム２の情報受信処理装置２０１から取引情報を受信して値動きをチャート表示するチャート表示装置１０と、仲介サーバシステム２の売買処理サーバ２００に対して売買注文を送信する注文管理システム（ＯＭＳ：Order Management System）５０と、を備えている。
【００１４】
チャート表示装置１０は、一般的には同一のローカルネットワークに接続されている（あるいはインターネット等を経由して接続可能な遠隔地に設置された）注文管理システム５０と通信が可能である。
従って、本実施形態のチャート表示装置１０は、後に詳述するように注文管理システム５０から自取引の情報を取得してチャート表示に反映することが可能である。
【００１５】
本実施形態のチャート表示装置１０の構成について説明する前に、チャート表示装置１０が前提とする「オークション方式（ザラバ方式）」の株式取引について概説する。
「オークション取引」では、証券取引所等が仲介業者を介して利用者（投資家）に提供する「板情報」と呼ばれる情報に基づいて取引が行われる。
【００１６】
図２は上記「板情報」を説明する図である。
「板情報」は、ある株式銘柄に対する現在の買い注文、売り注文の状況（気配）を示す情報である。
図２に示す「板情報」において、「気配値（板とも呼ぶ）」は、株式銘柄の売り注文や買い注文が出ている値段である。
「売り気配株数」はこの値段（指し値）で売りたいとして「売り注文」が出されている株式の数である。
図２の例では、４９０円の指値で２２５１０株、４９１円の指値で７５９０株、４９２円で４３６２０株、４９３円の指値で１１０７０株、４９４円で２１７１０株の売り注文が出されていることが示されている。これらの売り気配株数は、複数の投資家等取引主体による売り注文の気配数の合計である。
【００１７】
それに対し、「買い気配株数」は、この値段（指し値）で買いたいとして「買い注文」が出されている株式の数である。図２の例では、４８９円で６９０株、４８８円で１８６９０株、４８７円で１１４２０株、４８５円で８６６０株の買い注文が出されていることが示されている。
「オークション取引」においては、最も値段の低い売り注文の指し値（ここでは４９０円）、最も値の高い買い注文（ここでは４９０円）を「（最優先）気配値」と呼び、約定が最優先され、売買側夫々の最優先気配値で売買取引が行われる。
【００１８】
図２の板情報に示す気配において、５００株を４９０円の指値で買うという新規注文が発生した場合、４９０円において出来高５００株で自動的に約定が成立する。上記のように、４９０円の売り気配に対する同値段の新規買い注文は最優先気配であり、約定が最優先されるからである。
この時、この銘柄の株価は４９０円となる。同時に、売り気配株数として示される売り注文の残数は２２０１０株（２２５１０株−５００株）になる。
【００１９】
その後、５００株を４８９円の指値で売り注文が発生した場合、４８９円において５００株の出来高で自動的に約定が成立する。上記のように、４８９円の買い気配に対する同値段の新規売り注文は最優先気配であり、約定が最優先されるからである。
その時、この銘柄の株価は４８９円となる。同時に、買い気配株数として示される買い注文の残数は、１９０株（６９０株−５００株）となる。
【００２０】
４８９円の買い気配が全て消化された（４８９円での買気配株数がなくなった）場合には、４８８円が買い側の次の最優先気配となり、約定を最優先されることになる。
【００２１】
このように、「オークション方式」においては、板情報として示される、既に注文されている売り気配、買い気配に対して新たに買い注文、売り注文が行われることで約定が成立し、その都度に株価が決定する。
また「オークション取引」においては、売り気配株数、買い気配株数が消化されていくことにより板情報における売り買い側の最優先気配値が所定刻みの呼値（例えば１円）ごとに推移していく。
【００２２】
図３は、売買が約定することで発生するティックデータの一例を説明する図である。
上記したようにティックデータとは、取引所側装置１００において板情報に示される売り気配、買い気配に従って売買が行われたときの時刻（約定時刻）、ティック値段及び出来高を記録したデータであり、取引所装置１００から随時配信される。
【００２３】
図３に例示するティックデータでは、例えば、１１時００分０１秒において、１０（出来高）の対象銘柄株が４９０円で約定（売買）されたことが示されている。
また、１１時００分１５秒において、１００（出来高）の対象銘柄株が再び４９０円で売買され、１１時０３分５０秒において、さらに５０の対象銘柄株がさらに４９０円で売買され、１１時０５分１０秒において、５の対象銘柄株が４８９円で約定（売買）され、１１時０７分２５秒において、３０の対象銘柄株が再び４８９円で売買され、１１時０８分１８秒において、２６８の対象銘柄株が４９０円で売買され、１１時０８分１９秒において、１０の対象銘柄株が４９１円で売買され、１１時０８分２５秒において、５の対象銘柄株が４９０円で売買されたことが示されている。
【００２４】
夫々の約定（売買）は「ティック」と呼ばれ、各「ティック」のティック値段を「ティック値段（売買価格）」と呼ぶ。
上記に説明したように、「オークション取引」においては売り側買い側双方の最優先気配値で約定が成立していくため、ティックデータには、最優先気配値が変わるまで連続して現れる「ティック値段ペア（売買価格ペア）」が存在する。
図３に示すティックデータでは、１１時００分０１秒から１１時０８分１８まで、４８９円（安値側／買い気配）と４９０円（高値側／売り気配）の「ティック値段ペア１」で売買が行われたことが行われたことが示されている。
また、１１時０８分１９秒から４９０円と４９１円の新たな「ティック値段ペア２」が出現している。これは、上記に説明したように最優先気配値が変化したことに起因する。
【００２５】
そして、夫々のティック値段ペアの値段に注目すると、「ティック値段ペア１」の高値（４９０円）が「ティック値段ペア２」の低値（４９０円）となっており、「ティック値段ペア２」は、「ティック値段ペア１」に対して相対的に値上がりしていることわかる。
そして、図３に示すティックデータにおいては、「ティック値段ペア１」において、安値側４８９円の累計出来高は３５、高値側の累計出来高は４２８である。その後、ティック値段ペアは、より値段の高い「ティック値段ペア２」に移行している。
【００２６】
「ティック値段ペア１」の高値側で低値側よりも多くの（大きな出来高）の売買が行われた結果、図２に示した板情報に示す売り気配が消化されて株価が値上がりし、最優先気配値が全体として値上がりし、「ティック値段ペア２」が出現したと考え得る。
株価の値動きトレンドを把握する上で、最優先気配値に基づく「ティック値段ペア」と、ペア内の高値低値夫々の出来高は好適な手がかりになり得る。
【００２７】
本発明のチャート表示装置は、市場取引の進行に応じて変化する「ティック値段ペア」に含まれる夫々の約定の「出来高」に注目して株価の値動きを表現するものである。
詳しくは、ティックデータに現れるティック値段ペアに含まれるティック値段夫々の累計出来高を集計し、夫々のティック値段ごとに「ティック足」と呼ぶボックスを作成・表示する。そして、取引の進行（ティックデータの更新）に従って、「ティック足値段」をリアルタイムに追加する「ティック足チャート」を作成する。
【００２８】
この「ティック足チャート」によって取引の進行に応じたティック値段の移り変わり（株価の値動き）とともに、「ティック値段ペア」が変化するのに、何回のティック、いくら出来高を要したのか、「ティック値段ペア」は上昇傾向にあるか下降傾向にあるか、を視覚的に把握することが出来る。
また、ティック値段ペアにおいて、刻々と変化する高値側、安値側の出来高を監視して、その銘柄が短期的に値上がりするのか、値下がりを推測することが出来る。
【００２９】
図４は、本実施形態に係るチャート表示装置が表示するチャートを説明する図である。
本実施形態のチャート表示装置１０では、上記したように、ティックデータにおいて値動きを繰り返すティック値段ペア（例えば、高値である４９０円と安値である４８９円）の累計出来高の組み合わせに着目して、対象銘柄の値動きを「ティック足チャート」として表示する。
【００３０】
本実施形態に係るチャート３０は、情報表示エリアとしての第１表示エリア３０Ａ、第２表示エリア３０Ｂを備えている。
第１表示エリア３０Ａには、本発明の特徴たる「ティック足チャート」に加えて、「ティック足移動平均線」、「ＨＬバンド」、「ボリンジャーバンド」、「パラボリック」、「一目均衡表」を含む従来周知のテクニカル指標を選択的に表示可能であり、使用者の操作によりどの情報を表示するかを選択できるようになっている。
また、第２表示エリア３０Ｂには、本発明に特徴的なティック値段ペアにおける合計出来高（売買高）及び高値、安値夫々のティック回数（約定回数）に加え、ＲＳ１、ＲＳ２、ＲＣＩ、ＭＡＣＤなどの従来周知の情報を選択的に表示可能であり、使用者の操作によりどの情報を表示するかを選択できるようになっている。
【００３１】
また、チャート３０は、表示内容を設定するための表示設定欄６０を備えている。
表示設定欄６０は、表示対象銘柄を設定する表示対象銘柄入力欄６１と、表示モードを選択するリアルモード選択ボタン６２及び過去モード選択ボタン６３と、過去モードにおける表示対象期間を設定する対象期間設定欄６４と、第１表示エリア３０Ａに表示する情報を選択する第１表示情報選択欄６５と、第２表示エリア３０Ｂに表示する情報を選択する第２表示情報選択欄６６を備えている。
なお、これらの選択欄はプルダウンリストとして実装することで使用者に表示情報を容易に選択させることが出来る。
また、表示エリア及びそれに対応する表示情報選択欄の数はこれらに限定することはなく、上記したテクニカル指標や情報を複数、あるいは全て同時に表示可能としてもよい。
【００３２】
第１表示情報選択欄６５において「ティック足チャート」が選択された場合、第１表示エリア３０Ａには、上記のティック足からなる「ティック足チャート」を表示するティックチャート表示欄３１、ティックデータ内に新たなティック値段（例えば図３のティックデータの場合、１１：０８：１９の４９１円）が現れることによって従前のティック値段ペアが終了した時点の時刻を示す終了時刻表示欄３２と、ティック値段ペアでの売買が継続（滞留）した期間をティック値段ペア毎に時分又は／及び秒数で表示する滞留時間（継続時間）表示欄３３、ティック値段ペアでの滞留時間を視覚的に表すスピードイジケータを表示するインジケータ表示欄３４、夫々のティック値段ペアにおける高値、安値を表示するティック値段表示欄３５が表示される。
【００３３】
以下に、図４を用いて「ティック足チャート」について詳細に説明する。
図４において、ティック値段及びその累計出来高を表示するボックスを「ティック足」と称し、ティック値段ペアの安値側のティック足をティック足（Ｌ）４０Ａ、高値側のティック足をティック足（Ｈ）４０Ｂと呼ぶ。
また、ティック足（Ｌ）４０Ａ、ティック足（Ｈ）４０Ｂを併せてティック足ペア（ティック足列）４０と呼ぶ。
【００３４】
なお、図４において、ティック足ペアに付される（１）、（２）・・の括弧書きは、個々のティック値段ペアを区別して説明するために便宜的に付したものであり、実際の装置においてこのような表示がなされる必要は無い。
ティックチャート表示欄３１におけるティック足ペア４０（ティック足（Ｌ）４０Ａ、ティック足（Ｈ）４０Ｂ）は、市場取引の進行によってティックデータが更新され、新たなティック値段ペアが現れる度に新たに作成され、あるいは表示する出来高の数値が更新されていく。
【００３５】
例えば図４に示すティックデータにおいて、ティック値段として新たな値、４９１円が発生すると、ティック表示装置は、それ以降のティック値段とともにティック値段ペアとして高値、安値夫々の累計出来高を算出し、夫々のティック足（Ｌ）４０Ａ、ティック足（Ｈ）４０Ｂを作成する。
（１）のティック足ペア４０では、ティック足（Ｌ）４０Ａのティック値段は４８９円、出来高は３５であり、ティック足（Ｈ）４０Ｂのティック値段は４９０円、出来高は４２８である。
【００３６】
次に現れた（２）のティック足ペア４０では、ティック足（Ｌ）４０Ａのティック値段は４９０円、出来高は９８３であり、ティック足（Ｈ）４０Ｂのティック値段は４９１円、出来高は７１である。
次に現れた（３）のティック足ペア４０では、ティック足（Ｌ）４０Ａのティック値段は４８９円、出来高は５７であり、ティック足（Ｈ）４０Ｂのティック値段は４９０円、出来高は１５２６である。
【００３７】
次に現れた（４）のティック足ペア４０では、ティック足（Ｌ）４０Ａのティック値段は４９０円、出来高は２５であり、ティック足（Ｈ）４０Ｂのティック値段は４９１円、出来高は５６３である。
次に現れた（５）のティック足ペア４０では、ティック足（Ｌ）４０Ａのティック値段は４９１円、出来高は１８であり、ティック足（Ｈ）４０Ｂのティック値段は４９２円、出来高は１１２１である。
【００３８】
次に現れた（６）のティック足ペア４０では、ティック足（Ｌ）４０Ａのティック値段は４９３円、出来高は２３８であり、ティック足（Ｈ）４０Ｂのティック値段は４９４円、出来高は２８３である。
次に現れた（７）のティック足ペア４０では、ティック足（Ｌ）４０Ａのティック値段は４８９円、出来高は２８８であり、ティック足（Ｈ）４０Ｂのティック値段は４９０円、出来高は３５である。
【００３９】
次に現れた（８）のティック足ペア４０では、ティック足（Ｌ）４０Ａのティック値段は４９４円、出来高は１５１であり、ティック足（Ｈ）４０Ｂのティック値段は４９５円、出来高は４７である。
次に現れた（９）のティック足ペア４０では、ティック足（Ｌ）４０Ａのティック値段は４９２円、出来高は５５であり、ティック足（Ｈ）４０Ｂのティック値段は４９３円、出来高は３３８である。
【００４０】
次に現れた（１０）のティック足ペア４０では、ティック足（Ｌ）４０Ａのティック値段は４９３円、出来高は７５であり、ティック足（Ｈ）４０Ｂのティック値段は４９４円、出来高は２３０である。
次に現れた（１１）のティック足ペア４０では、ティック足（Ｌ）４０Ａのティック値段は４９４円、出来高は２８であり、ティック足（Ｈ）４０Ｂのティック値段は４９５円、出来高は４４８である。
【００４１】
次に現れた（１２）のティック足ペア４０では、ティック足（Ｌ）４０Ａのティック値段は４９５円、出来高は１０８であり、ティック足（Ｈ）４０Ｂのティック値段は４９６円、出来高は２である。
次に現れた（１３）のティック足ペア４０では、ティック足（Ｌ）４０Ａのティック値段は４９３円、出来高は２１６であり、ティック足（Ｈ）４０Ｂのティック値段は４９４円、出来高は１４０である。
【００４２】
次に現れた（１４）のティック足ペア４０では、ティック足（Ｌ）４０Ａのティック値段は４９１円、出来高は４１９であり、ティック足（Ｈ）４０Ｂのティック値段は４９２円、出来高は１３３である。
次に現れた（１５）のティック足ペア４０では、ティック足（Ｌ）４０Ａのティック値段は４９０円、出来高は１１５０であり、ティック足（Ｈ）４０Ｂのティック値段は４９１円、出来高は２１８である。
【００４３】
第２表示情報選択欄６６において「売買高」の表示が選択されている場合、第２表示エリア３０Ｂには、ティック値段ペア夫々における合計出来高を棒グラフ及び数値で示す合計出来高表示欄３６、ティック値段ペアにおいて高値、安値のティックが夫々何回ずつ発生したかを表示するティック回数表示欄３７、が表示される。
【００４４】
また、チャート３０は、チャートの表示期間における始値、現値、安値、現値と、前日比などを示す４本値表示欄３８、気配数量を表示した気配数量表示欄３９を備えている。
４本値表示欄３８に表示する始値はチャート開始直後の株価であり、高値、安値は、チャート表示期間中で最も高い又は安い株価（当然、取引の進行とともに変化する）、現値はチャート表示期間中の最新の株価である。図４の例では、最新の値動きであるティック値段ペア（１５）に示す４９０円、４９１円であることが反映されている。
寄り付きからチャート表示を行っている場合は、始値は寄り付きの値段となる。
気配数量表示欄３９に表示する気配数量は、取引所側装置１００から供給される板情報をそのまま表示したものである。
ＯＭＳ５０及びチャート表示装置１０を単一の装置としている場合は、この気配数量表示欄３９における気配数量部分をダブルクリック等することにより取引所側装置１００に対する発注画面を表示するようにしても良い。
また、気配数量表示欄３９における呼値部分を左クリック等することにより、その値段をティックチャート表示欄３１の画面中央部に表示するようにしても良い。
図４の例では、４９１円から４９７円までの売り呼値の気配（注文）数量、４８５円から４９０円までの買い呼値の気配（注文）数量が表示されている。ティック値段ペア（１５）に示されているように最優先気配値が４９０円、４９１円であるからである。
【００４５】
ここで、本実施形態の「ティック足チャート」から読み取れる情報を説明する。
例えば、図３の表示において、１１：０８：１８まで８８８秒続いた４８９円と４９０円のティック値段ペア（１）では、ティック足（Ｌ）４０Ａ（４８９円）の出来高は３５、ティック足（Ｈ）４０Ｂ（４９０円）の出来高は４２８である。
すなわち、出来高において、高値での約定が安値での約定に対して先行していることが分かる。
その結果、新たに４９１円というティック値段が出現し、ティック値段は４９１円という高値と４９０円という安値の間で変化するようになった。
すなわち、（１）の次のティック値段ペア（２）では、（１）の高値が（２）の安値となり、（２）の高値は新たな値となり、株価は上昇トレンドにあることが分かる。
【００４６】
しかし、ティック値段ペア（２）では、低値の出来高が高値の出来高を上回っている。
その結果、次のティック値段ペア（３）の高値が、（２）の低値となり、株価は下降トレンドにある。
ただし、（３）のティック値段ペアでは、高値の出来高が出来高を上回ることで株価は上昇に転じ、ティック値段ペア（４）→（５）→（６）→（７）と株価は上昇トレンドにあることがわかる。
【００４７】
また、ティック値段ペア（７）で低値の出来高が高値の出来高を上回った結果、（７）→（８）→（９）と株価は下降に転じ、ティック値段ペア（９）で高値の出来高が低値の出来高を下回った結果、（９）→（１０）→（１１）→（１２）と株価は上昇トレンドにある。
また、ティック値段ペア（１２）で高値の出来高が低値の出来高を上回った結果、（１２）→（１３）→（１４）→（１５）と株価は下降トレンドにある。
【００４８】
このように、ティック値段ペアにおいて、高値の出来高が低値の出来高よりも多い場合、その銘柄株は値段が上昇する傾向にあることが分かる。
また逆に、低値の出来高が高値の出来高よりも多い場合は、その銘柄株は値段が下降する傾向にあることが分かる。
このことを鑑みると、ティック値段ペアの累計出来高を常に算出し、表示することで、その銘柄が高値又は低値のどちらに向かうのかをいち早く推測することが出来る。
【００４９】
次に、インジケータ表示欄３４に表示するスピードインジケータについて説明する。
上記したように、スピードインジケータは、滞留時間（ティック値段ペア内でティック値段が変化した時間）を示すインジケータである。
滞留時間は、個々のティック値段ペアで値動きが継続（滞留）した期間であり、滞留時間表示欄３３に表示される時間である。
このインジケータによって、時間変化のスピードを視覚的にわかりやすく表示できる。
インジケータは、例えば、インジケータ「１」（１秒未満）、インジケータ「２」（１〜２秒未満）、インジケータ「３」（２〜５秒未満）、インジケータ「４」（５〜１０秒未満）、インジケータ「５」（１０〜１５秒未満）、インジケータ「６」（１５〜３０秒未満）、インジケータ「７」（３０〜６１秒未満）、インジケータ「８」（１〜２分未満）、インジケータ「９」（２〜５分未満）、インジケータ「１０」（５分以上）を含み、インジケータ毎に色を変化させることで、滞留時間をより視覚的に理解し易くなる。
【００５０】
図４に基づいて説明をすると、ティック値段ペア（１）、（２）、（３）、（５）、（９）、（１０）では、そのティック値段ペアでの約定が８８８秒、８５７秒、８５４秒、４３６秒、３５４秒、３１９秒続いた（停滞した）ことが示されているため、インジケータ表示欄３４にはインジケータ１０が表示されている。
また、ティック値段ペア（４）では、そのティック値段ペアでの約定が２８５秒停滞したことが示されているため、インジケータ表示欄３４にはインジケータ９が表示されている。
また、ティック値段ペア（７）では、そのティック値段での約定が１秒停滞したことが示されているため、インジケータ表示欄にはインジケータ２が表示されている。
【００５１】
ティック値段ペア（１２）、（１３）、（１４）では、そのティック値段ペアでの約定が７秒、５秒、８秒停滞したことが示されているため、インジケータ表示欄３４にはインジケータ４が表示されている。
ティック値段ペア（１１）、（１５）では、そのティック値段ペアでの約定が２６秒、２９秒停滞したことが示されているため、インジケータ表示欄３４には、インジケータ６が表示されている。
【００５２】
ティック値段ペア（６）、（８）では、そのティック値段ペアでの約定が１１３秒、７８秒停滞したことが示されているため、インジケータ表示欄３４にはインジケータ８が表示されている。
なお、表示設定欄には、第１表示情報選択欄６５に付随して、秒数表示切り替え欄６５ａ、インジケータ表示有無切換欄６５ｂ、値段表示有無切換欄６５等のチェックボックスが設けられている。
秒数表示切り替え欄６５ａがチェックされている時にのみ、滞留時間表示欄３３の秒数を表示する。
また、インジケータ表示有無切換欄６５ｂがチェックされている時にのみ、インジケータ表示欄３４にスピードインジケータが表示される。
また、値段表示有無切換欄６５ｃがチェックされている時にのみ、ティック値段表示欄３５にティック値段が表示される。
【００５３】
図５は、本実施形態に係るチャート表示装置の機能構成を示す図であり、（ａ）はハードウェア構成を示す機能ブロック図、（ｂ）はソフトウェアによる機能構成を示すブロック図である。
図５（ａ）に示すように、チャート表示装置１０は、装置全体の制御を行う汎用のオペレーティングシステムを実行するともチャート表示処理を実現するプログラムを実行するＣＰＵ（Central Processing Unit）１１と、ＣＰＵ１１による処理のために各種のプログラムや一時データ、変数が展開されるＲＡＭ（Random Access Memory）１２と、プログラムやデータが格納されるＨＤＤ（Hard Disk Drive）１４やＲＯＭ（Read Only Memory）を備えている。
ＲＡＭ１２には、情報受信処理サーバ２０１から取得したティックデータ、板情報のデータが記憶されるとともに、例えば、ティックデータに含まれるペアとなるティック値段を格納する変数である変数Ｔｉｃｋ１、変数Ｔｉｃｋ２と、各ティック値段での約定回数をカウントするためのＴｉｃｋ１カウンタＣ１、Ｔｉｃｋ２カウンタ２等の変数がセットされる。
【００５４】
また、チャート表示装置１０は、ネットワークに接続するためのイーサネット（登録商標）アダプタなどのネットワークＩ／Ｆ１５と、液晶モニタ等の表示装置１３と、キーボードやマウス等の入力装置１６と、を備えている。以下に説明する本実施形態に係るチャート表示装置１０は、上記した液晶モニタに表示するチャートの表現方法に特徴を有するものである。
【００５５】
図５（ｂ）に示すように、ＣＰＵ１１は、表示設定処理部２１と、データ取得処理部２２と、データ集計処理部２３と、滞留時間（継続時間）演算処理部２４と、テクニカル指標演算処理部２５と、四本値演算処理部２６と、表示処理部２７と、を実行する。
また、表示処理部２７は、板情報表示処理部２７ａと、チャート表示処理部２７ｂと、滞留時間（継続時間）表示処理部２７ｃと、インジケータ表示処理部２７ｄと、テクニカル指標表示処理部２７ｅと、四本値表示処理部２７ｆと、合計出来高表示処理部２７ｇ、終了時刻表示処理部２７ｈと、ティック回数表示処理部２７ｉとを含む。
【００５６】
表示設定処理部２１は、入力装置６を用いて行われる、表示装置１３に表示するチャートを含む各種情報の表示設定を受けつけて設定する処理部である。
データ取得処理部２２は、取引所側装置１００が提供する、都度の売買（ティック）における約定情報（ティックデータ）や板情報を、仲介サーバシステム２を介して取得する処理部である。
【００５７】
また、図１に示すように、本実施形態のチャート表示装置は、ＯＭＳ５０とＬＡＮを介して接続されており、データ取得処理部２２は、ＯＭＳ５０によって行った注文の約定通知、及びその出来高（約定数）を受け取ることが可能である。
ただし、ＯＭＳ５０及びチャート表示装置１０を単一の装置とし、チャート表示装置１０によって、売買処理サーバ２００に対する売買注文、注文履歴の管理、チャート表示を行うようにしても良い。
データ集計処理部２３は、データ取得処理部２２が取得したティックデータを集計し、チャートとして表示装置１３に表示すべきチャートデータを生成する処理部である。
より具体的には、データ集計処理部２３は、データ取得処理部２２によって順次取得されるティックデータに基づいて隣接する低値のティック値段（第１の売買価格）と高値のティック値段（第２の売買価格）の組み合わせ（ティック値段ペア／売買価格ペア）が繰り返して発生している間の夫々のティック値段の累計出来高を集計する。
【００５８】
上記に説明したように、本実施形態のチャート表示装置が準拠する「オークション取引」の特性として、最優先気配の隣接した値段の間で約定が複数回繰り返して続くことが多いからである。
【００５９】
また、滞留時間演算処理部２４は、滞留時間（同一のティック値段ペア内でティック値段が変化した時間）を集計する。
滞留時間表示処理部２７ｃは、滞留時間演算処理部２４が演算した滞留時間を、滞留時間表示欄３３に表示する処理を行う。
また、インジケータ表示処理部２７ｄは、滞留時間演算処理部２４が演算した滞留時間に基づいて、スピードインジケータの表示色を変えてインジケータ表示欄３４に表示する処理を行う。これにより、値段変化のスピードを視覚的に捉えやすくすることが出来る。
合計出来高表示処理部２７ｇは、ティック値段ペアごとに合計出来高を合計出来高表示欄３６に表示する処理を行う。
終了時刻表示処理部２７ｈは、ティック値段ペアが終了した時刻を終了時刻表示欄３２に表示する処理を行う。
ティック回数表示処理部２７ｉは、安値、高値のティック回数をティック回数表示欄３７に表示する処理を行う。
【００６０】
また、テクニカル指標演算処理部２５は、各ボックスの終値をベースとしてＨＬバンド、ボリンジャーバンド、パラボリック、一目均衡表、合計出来高（売買高）、ＲＳ１、ＲＳ２、ＲＣＩ、ＭＡＣＤといったテクニカル指標を算出する。
また、テクニカル指標算出処理部２７ｅは、テクニカル指標演算処理部２５が算出したテクニカル指標を、第２表示エリア３０Ｂに適宜表示する処理を行う。
【００６１】
四本値演算処理部２６は、データ取得処理部２２が取得した板情報に基づいて、四本値表示欄３８に表示すべき四本値を演算する。上記したように、四本値は、始値、現値、高値、安値の４つの値である。
また、四本値表示処理部２７ｆは、四本値演算処理部２６によって演算された四本値を四本値表示欄３８に表示する処理を行う。
【００６２】
図６は、本実施形態に係る表示設定処理部による表示設定処理を説明するフローチャートである。
表示設定処理部２１は、表示対対象銘柄入力欄６１にキーボード等の入力装置１６によって銘柄コード（四桁の証券コード）又は銘柄名の入力があったか否かを判断する（ステップＳ１０１）。
銘柄コード又は銘柄名の入力があったと判断した場合（ステップＳ１０１でＹｅｓ）、表示設定処理部２１は、入力された銘柄コード又は銘柄名を取得して、ＲＡＭ１２に格納し、表示対象銘柄として設定する（ステップＳ１０２）。
【００６３】
また、表示設定処理部２１は、動作モード選択欄に入力があるか否かを判断する（ステップＳ１０３）。
入力がある場合（ステップＳ１０３でＹｅｓ）、表示設定処理部１１は入力された動作モードを取得し（ステップＳ１０４）、その動作モードがリアルモードであるか、過去モードであるか、を判断する（ステップＳ１０５）。
なお、上記したようにリアルモード選択ボタン６２がＯＮされているときにリアルモードが選択され、過去モード選択ボタンがＯＮされているときは、過去モードが選択されていることになる。
【００６４】
ここで、本実施形態のチャート表示装置の動作モードについて説明する。
本実施形態のチャート表示装置が使用可能なティックデータには、リアルデータと過去データの２種類がある。
リアルデータは、文字通り、実際の市場取引に応じてリアルタイムに更新され、取引所装置１０から供給されるティックデータである。そして、このリアルデータを基にチャートを表示するモードを本実施形態ではリアルモードと呼ぶ。
【００６５】
取引所における前場・後場の取引開始から取引終了まで常にティックデータを取得し続けるのであれば、リアルデータのみで問題がないが、実際はそのような場合のみとは限らず、過去の値動きを特に参照したい場合もある。
過去の所定期間におけるティックデータに基づいてティック足チャートを表示したい場合、チャート表示装置１０は情報受信処理装置２０１が有するキャッシュデータを取得する。
ただし、チャート表示装置１０は、自身が保持するキャッシュデータを使用しても良い。
このようなティックデータを過去データと呼び、この過去データを基にチャートを表示するモードを本実施形態では過去モードと呼ぶ。
【００６６】
なお、リアルモードが選択されている場合であっても、図４に示す「寄付」指定ボタン６２ａが選択されている場合は、ＲＡＭ１２上にキャッシュされているティックデータあるいは情報受信処理装置２０１が有するキャッシュデータを取得して当日寄付からのティックデータを読み集計表示することが出来る。これは上記過去モードと同様の処理となり、その後上記リアルモードに切り替えて集計表示を続行することが出来る。
【００６７】
また、「直近」指定ラジオボタン６２ｂが選択されている場合で、表示開始設定欄６２ｃに設定値が入力されている場合は、ＲＡＭ１２上にキャッシュされているティックデータあるいは情報受信処理装置２０１が有するＮＮ分前からのキャッシュデータを取得して集計表示することが出来る。これも、上記過去モードと同様の処理となり、その後リアルモードに切り替えて集計表示を続行することが出来る。
【００６８】
リアルモードが設定されていると判断した場合（ステップＳ１０５でＹｅｓ）、表示設定処理部２１は、動作モードをリアルモードに設定する（ステップＳ１０６）。なお、この例では「寄付」指定ボタン６２ａ、「直近」指定ボタン６２ｂが選択されていないものとする。
リアルモードではない、すなわち過去モードであると判断した場合（ステップＳ１０５）、表示設定処理部２１は、動作モードを過去モードに設定する（ステップＳ１０７）。
またこの場合、表示設定処理部２１は、過去データを取得する対象期間設定欄６４に入力があるか否かを判断し（ステップＳ１０８）、入力があれば（ステップＳ１０８でＹｅｓ）、入力された期間を取得して表示対象期間として設定する（ステップＳ１０９）。
【００６９】
また、表示設定処理部２１は、表示情報選択欄６５に入力があるか否かを判断する（ステップＳ１１０）。
なお、「表示情報選択欄６５に入力がある」とはプルダウンリストに含まれる有効なアイテムが選択されている状態をいう。
本実施形態のチャート表示装置は特徴的なティック足チャートのみならず、その他のテクニカル指標やローソクチャートを表示可能であり、ステップＳ１０８では、どの情報を表示するように入力がされているか否かを判断する。
表示設定処理部２１は、入力されている表示情報を取得して設定する（ステップＳ１１１）。
【００７０】
図７は、本実施形態のチャート表示装置（データ取得処理部、データ集計処理部、表示処理部）によるチャート集計・表示処理を説明するフローチャートである。
データ取得処理部２２は、まず、図６の処理においてリアルモードが設定されているか否かを判断する（ステップＳ２００）。
リアルモードと判断した場合（ステップＳ２００でＹｅｓ）、ＲＡＭ１２にセットされている変数Ｔｉｃｋ１、変数Ｔｉｃｋ２に格納されるＴｉｃｋ値段、出来高、カウンタＣ１、Ｃ２をデータ集計処理部２２がクリアした後（ステップＳ２０１）、データ取得処理部２３は、チャート表示可能期間中であるか否かを判断する（ステップＳ２０１）。
ステップＳ２００でリアルモードではないと判断した場合、ステップＳ２２４に進み過去モードの処理を行う。
【００７１】
このチャート表示期間は任意に設定可能であるが、例えば市場において取引が行われている時間（ティックデータが取引所側装置１００、情報受信処理装置２０１から提供される時間）内であるか否かを判断する（ステップＳ２０２）。
チャート表示可能期間内であれば（ステップＳ２０２でＹｅｓ）、データ取得処理部２２は、図３の表示設定処理によって設定された銘柄コード又は銘柄名に係るティックデータを、仲介サーバシステム２００に含まれる情報受信処理装置２０１に問い合わせる（ステップＳ２０３）。
問い合わせの結果、新規あるいは更新されたティックデータがある場合は（ステップＳ２０４でＹｅｓ）、データ取得処理部２２は、ティックデータを情報受信処理装置２０１から取得する（ステップＳ２０５）。
【００７２】
データ集計処理部２３は、データ集計処理部２３は、今回取得したティックデータに含まれるティック値段が変数Ｔｉｃｋ１に格納されるティック値段と等しいか否かを判断する（ステップＳ２０６）。
ステップＳ２０５で取得したティック値段が変数Ｔｉｃｋ１に格納されるティック値段と等しいと判断した場合（ステップＳ２０６でＹｅｓ）、データ集計処理部２３は、取得したティックデータに含まれる出来高を変数Ｔｉｃｋ１の出来高に加算する（ステップＳ２０７）。
チャート表示処理部２７ｂが最新のティック足（Ｌ）４０Ａの出来高表示を更新する（ステップＳ２０８）。
そして、データ集計処理部２３は、Ｔｉｃｋ１カウンタＣ１を１カウントアップし（ステップＳ２０９）、ステップＳ２０２に処理を戻す。
ステップ２０５で取得したティック値段が変数Ｔｉｃｋ１に格納されるティック値段と等しくないと判断した場合（ステップＳ２０６でＮｏ）、ＲＡＭ１２にセットされている変数Ｔｉｃｋ１がクリア状態か否かを判断する（ステップＳ２１０）。
【００７３】
変数Ｔｉｃｋ１がクリア状態である場合（ステップＳ２１０でＹｅｓ）、データ集計処理部２３は、取得したティックデータ中のティック値段（安値）を、変数Ｔｉｃｋ１に（新たに）格納する（ステップＳ２１１）。
チャート表示処理部２７ｂは、ティック足チャート内に新規ティック足列を追加してティック値段に該当する位置にティック足（Ｌ）４０Ａを作成し、その中に今回取得したティックデータに含まれる出来高を表示する（ステップＳ２１２）。また、チャート表示処理部２７ｂは、ティック値段表示欄３５ティック値段を表示する。
データ集計処理部２３は、Ｔｉｃｋ１カウンタＣ１に１を代入し（ステップＳ２１３）、ステップＳ２０２に処理を戻す。
変数Ｔｉｃｋ１がクリア状態ではない場合（ステップＳ２１０でＮｏ）、データ集計処理部２３は、取得したティック値段が変数Ｔｉｃｋ１とペアとなる変数Ｔｉｃｋ２に格納されるティック値段と等しいか否かを判断する（ステップＳ２１４）。
ステップＳ２０５で取得したティック値段が変数Ｔｉｃｋ２に格納されるティック値段と等しい場合（ステップＳ２１４でＹｅｓ）、データ集計処理部２３は、取得したティックデータに含まれる出来高を変数Ｔｉｃｋ２に含まれる出来高に加算する（ステップＳ２１５）。
【００７４】
チャート表示処理部２７ｂは、最新のティック足（Ｈ）４０Ｂの出来高表示を更新する（ステップＳ２１６）
データ集計処理部２３は、Ｔｉｃｋ２カウンタＣ２を１カウントアップし（ステップＳ２１７）、ステップＳ２０２に処理を戻す。
【００７５】
ステップＳ２０５で取得したティック値段が変数Ｔｉｃｋ２に格納されるティック値段と等しくない場合（ステップＳ２１４でＮｏ）、データ集計処理部２３は、変数Ｔｉｃｋ２がクリア状態であるか否かを判断する（ステップＳ２１８）。
【００７６】
変数Ｔｉｃｋ２がクリア状態である場合（ステップＳ２１８でＹｅｓ）、データ集計処理部２３は、ステップＳ２０５で取得したティックデータ中のティック値段（高値）を変数Ｔｉｃｋ２に格納する（ステップＳ２１９）。
そして、チャート表示処理部２７ｂは、ティック足チャート内の最新のティック足（Ｌ）４０Ａと同じ列にティック足（Ｈ）４０Ｂを作成し、その中にティックデータに含まれる出来高を表示する（ステップＳ２２０）。
【００７７】
次いで、データ集計処理部２３は、Ｔｉｃｋ２カウンタＣ２に１を代入し（ステップＳ２２１）、ステップＳ２０２に処理を戻す。
変数Ｔｉｃｋ２がクリア状態ではない場合（ステップＳ２１８でＮｏ）、新たなティック値段ペアが出現したことになる。
従って、データ集計処理部２３は、現在のＴｉｃｋペア値段の滞留時間が終了したと判断し、変数Ｔｉｃｋ２内のティック値段の約定時刻をティックデータから取得し、現在更新中のティック足列と関連付けてＲＡＭ１２に格納する（ステップＳ２２２）。
さらに、データ集計処理部２３は、変数Ｔｉｃｋ１、変数Ｔｉｃｋ２にそれぞれ格納されるティック値段、出来高、Ｔｉｃｋ１カウンタＣ１、Ｔｉｃｋ２カウンタＣ２をクリアし（ステップＳ２２３）、ステップＳ２０６に処理を戻す。
この場合、ステップＳ２２３の処理により変数Ｔｉｃｋ１は常にクリアされており、且つ取得したティック値段が変数Ｔｉｃｋ１に格納されるティック値段と等しくもならないため、チャート表示処理部２７ｂは、必ずステップＳ２０６でＮｏ且つステップＳ２０７でＹｅｓとなり、ティックチャート表示欄３１の新規列に新たなティック足（Ｌ）４０Ａを作成することになる。
図７で処理される最初のティックデータについても同様で、変数Ｔｉｃｋ１は常にクリアされており、且つ取得したティック値段が変数Ｔｉｃｋ１に格納されるティック値段と等しくもならないため、チャート表示処理部２７ｂは、必ずステップＳ２０６でＮｏ、且つステップＳ２０７でＹｅｓとなり、ティックチャート表示欄３１の新規列に新たなティック足（Ｌ）４０Ａを作成する。
【００７８】
合計出来高表示処理部２７ｇは、データ集計処理部２３がステップＳ２０７、ステップＳ２１１、ステップＳ２０７、ステップＳ２１９において更新した変数Ｔｉｃｋ１、変数Ｔｉｃｋ内の出来高の合計値に基づいて、合計出来高を数字や棒グラフにて合計出来高表示欄３６に表示する。
また、終了時刻表示処理部２７ｈは、データ集計処理部２３がステップＳ２２２においてＲＡＭ１２に格納した時刻を、終了時刻表示欄３２に表示する。
【００７９】
また、滞留時間演算処理部２４は、データ集計処理部２３がステップＳ２２２において格納した時刻の差分に基づいて、ティック値段ペアごとの滞留時間を演算する。
演算された滞留時間を用いて、滞留時間表示処理部２７ｃは、ティック値段ペアごとの滞留時間を滞留時間表示欄３３に表示する。
インジケータ表示処理部２７ｄは、滞留時間演算処理部２４が演算した滞留時間に基づいてインジケータ表示欄３４にティック値段ペア（ティック足ペア４０）毎のスピードインジケータを表示する。スピードインジケータの態様は上記したとおりである。
なお、図７の説明では、ティックデータを１つずつ情報受信処理サーバ２０１より取得する処理の流れになっているが、データ取得のタイミングにより複数エントリを含む新規／更新ティックデータがサーバ上に存在することが考えられる。
その場合、ステップＳ２０５において取得可能なティックデータを全て取得し、全てのティックデータについて処理を終えてからステップＳ２０３の問い合わせを行うようにしても良い。その場合には、ステップＳ２０９、ステップＳ２１３、ステップＳ２１７、ステップＳ２２１の処理後にはステップＳ２０６に処理を戻すことになる。
【００８０】
図８は、本実施形態に係るチャート表示装置における過去モードのチャート表示処理を説明するフローチャートである。
上記したように、過去モードは、図４において過去モード選択ボタン６３が選択された場合、あるいはリアルモード選択ボタンが選択されていても、「寄付」選択ボタン６２ａ、「直近」選択ボタン６２ｂが選択されている場合に行われる。
まず、データ集計処理部２２が、ＲＡＭ１２にセットされた変数Ｔｉｃｋ１、変数Ｔｉｃｋ２に格納されるＴｉｃｋ値段、出来高、カウンタＣ１、Ｃ２をクリアし（ステップＳ３００）、データ取得処理部２２は、ステップＳ１０９（図６）において設定されたデータ取得期間の過去ティックデータ、あるいは「寄付」からの現在までの、直近ＮＮ分前から現在までの過去ティックデータを受信情報処理サーバ２０１より取得する（ステップＳ３０１）。
【００８１】
次に、データ集計処理部２３は全ての過去ティックデータについて集計を完了したか否かを判断する（ステップＳ３０２）。
集計を完了したと判断した場合（ステップＳ３０２でＹｅｓ）、データ集計処理部２３は処理を終了する。
まだ集計をしていないティックデータがあると判断した場合（ステップＳ３０２でＮｏ）、データ集計処理部２３は、今回取得したティックデータに含まれるティック値段がＲＡＭ１２にセットされている変数Ｔｉｃｋ１に格納されるティック値段と等しいか否かを判断する（ステップＳ３０３）。
取得したティック値段が変数Ｔｉｃｋ１に格納されるティック値段と等しいと判断した場合（ステップＳ３０３でＹｅｓ）、データ集計処理部２３は、取得したティックデータに含まれる出来高を変数Ｔｉｃｋ１の出来高に加算する（ステップＳ３０４）。
チャート表示処理部２７ｂは、最新のティック足（Ｌ）４０Ａの出来高表示を更新する（ステップＳ３０５）。
データ集計処理部２３は、Ｔｉｃｋ１カウンタＣ１を１カウントアップし（ステップＳ３０６）、ステップＳ３０２に処理を戻す。
ステップＳ３０１で取得したティック値段が変数Ｔｉｃｋ１に格納されるティック値段と等しくないと判断した場合（ステップＳ３０３でＮｏ）、データ集計処理部２３は、ＲＡＭ１２にセットされている変数Ｔｉｃｋ１がクリア状態か否かを判断する（ステップＳ３０７）。
【００８２】
変数Ｔｉｃｋ１がクリア状態である場合（ステップＳ３０７でＹｅｓ）、データ集計処理部２３は、取得したティックデータ中のティック値段（売買価格）を、変数Ｔｉｃｋ１に格納する（ステップＳ３０８）。
チャート表示処理部２７ｂは、ティック足チャート３１内に新規ティック足列を追加して、ティック値段に該当する位置にティック足（Ｌ）４０Ａを作成し、その中に今回取得したティックデータに含まれる出来高を表示する（ステップＳ３０９）。
データ集計処理部２３は、Ｔｉｃｋ１カウンタＣ１に１を代入し（ステップＳ３１０）、ステップＳ３０２に処理を戻す。
【００８３】
変数Ｔｉｃｋ１がクリア状態ではない場合（ステップＳ３０７でＮｏ）、データ集計処理部２３は、取得したティック値段が変数Ｔｉｃｋ１とペアとなる変数Ｔｉｃｋ２に格納されるティック値段と等しいか否かを判断する（ステップＳ３１１）。
取得したティック値段が変数Ｔｉｃｋ２に格納されるティック値段と等しい場合（ステップＳ３１１でＹｅｓ）、データ集計処理部２３は、取得したティックデータに含まれる出来高を変数Ｔｉｃｋ２に含まれる出来高に加算する（ステップＳ３１２）。
【００８４】
チャート表示処理部２７ｂは、最新のティック足の出来高表示を更新する（ステップＳ３１３）
そして、データ集計処理部２３は、Ｔｉｃｋ２カウンタＣ２を１カウントアップし（ステップＳ３１４）、ステップＳ３０２に処理を戻す。
ステップＳ３０１で取得したティック値段が変数Ｔｉｃｋ２に格納されるティック値段と等しくない場合（ステップＳ３１５でＮｏ）、データ集計処理部２３は、変数Ｔｉｃｋ２がクリア状態であるか否かを判断する（ステップＳ３１５）。
【００８５】
変数Ｔｉｃｋ２がクリア状態である場合（ステップＳ３１５でＹｅｓ）、データ集計処理部２３は、取得したティックデータ中のティック値段を変数Ｔｉｃｋ２に格納する（ステップＳ３１６）。
チャート表示処理部２７ｂは、ティック足チャート内の最新のティック足（Ｌ）４０Ａと同じ列にティック足（Ｈ）４０Ｂを作成し、その中にティックデータに含まれる出来高を表示し（ステップＳ３１７）
データ集計処理部２３は、Ｔｉｃｋ２カウンタＣ２に１を代入し（ステップＳ３１８）、ステップＳ３０２に処理を戻す。
【００８６】
変数Ｔｉｃｋ２がクリア状態ではない場合（ステップＳ３１５でＮｏ）、新たなティック値段が出現したことになる。
従って、データ集計処理部２３は、現在のＴｉｃｋペア値段の滞留時間が終了したと判断し、変数Ｔｉｃｋ２内のティック値段の約定時刻をティックデータから取得し、現在更新中のティック足列と関連付けてＲＡＭ１２に格納する（ステップＳ３１９）。
【００８７】
変数Ｔｉｃｋ１、変数Ｔｉｃｋ２に格納されるティック値段、出来高、Ｔｉｃｋ１カウンタＣ１、Ｔｉｃｋ２カウンタＣ２をクリアし（ステップＳ３２０）、ステップＳ３０３に処理を戻す。
この場合、変数Ｔｉｃｋ１は常にクリアされており、且つ取得したティック値段が変数Ｔｉｃｋ１に格納されるティック値段と等しくもならないため、チャート表示処理部２７ｂは、必ずステップＳ３０３でＮｏ、ステップＳ３０７でＹｅｓとなり、ティックチャート表示欄３１の新規列に新たなティック足（Ｌ）４０Ａを作成することになる。
図８で処理される最初のティックデータについても同様で、変数Ｔｉｃｋ１は常にクリアされており、且つ取得したティック値段が変数Ｔｉｃｋ１に格納されるティック値段と等しくもならないため、チャート表示処理部２７ｂは、必ずステップＳ３０３でＮｏ、ステップＳ３０７でＹｅｓとなり、ティックチャート表示欄３１の新規列に新たなティック足（Ｌ）４０Ａを作成する。
なお、この過去モードに用いる過去ティックデータは、情報受信処理サーバ２０１から受信するのではなく、チャート表示装置１０自身が有する、リアルモードでのチャート表示時に情報受信処理サーバ２０１から取得したキャッシュデータを用いても良い。
【００８８】
［第２の実施形態］
図９は、本実施形態の第２の実施形態に係るチャート表示装置が表示するチャートを示した図である。
図９に示すチャートは、基本的には第１の実施形態に係る図４に示すチャートと同様であるが、本実施形態のチャート表示装置の使用者自身の売り注文、買い注文の出来高をティック足に反映可能とした点において異なる。
【００８９】
図１０は、第２の実施形態に係るチャート表示装置におけるチャート表示処理を説明するフローチャートである。ただし、図７に示すフローチャートとの相違点のみを説明し、共通部分には共通する符号を付して説明は省略する。
第２の実施形態は、第１の実施形態のチャート表示装置を執行分析に用いるものである。
図１０に示す処理において、データ取得処理部２２は、ステップＳ２０５でティックデータを情報受信処理サーバから取得した後に、注文管理システム（ＯＭＳ）５０から注文管理情報を取得する（ステップＳ２０５Ａ）。
上記したように、注文管理システム５０はクライアントシステム１に属しており、仲介サーバシステム２に属する売買処理サーバ２００に対して売り注文、買い注文を実行可能な専用端末である。従って、どの時刻にいくらで、何株の売り注文、買い注文を行ったかという注文管理情報を注文管理情報データベースに保持している。
【００９０】
チャート表示装置（データ取得処理部２２）は、この注文管理情報を注文管理システム５０から取得する。
この注文管理情報を用いることで、仲介サーバシステム２内の情報受信処理サーバ２０１から取得したティックデータに含まれる各ティック情報が自注文か、他社による注文なのかを判断することが出来る。
【００９１】
データ集計処理部２３は、ステップＳ２０７乃至ステップＳ２０９、ステップ２１１乃至ステップＳ２１３、ステップＳ２１５乃至ステップＳ２１７、ステップＳ２１９乃至ステップＳ２２１において、ティック足内に出来高の表示・更新を行った後に、変数Ｔｉｃｋ１、変数Ｔｉｃｋ２内の出来高が、自注文によるものであるかを判断する（ステップＳ２０９Ａ、ステップＳ２１３Ａ、ステップＳ２１７Ａ、ステップＳ２２１Ａ）。
その結果、出来高が自注文によるものであると判断した時は、ステップＳ２０８、ステップＳ２１２、ステップＳ２０８、ステップＳ２２０で表示したトータルの出来高に併せて、自注文の出来高を表示する。
このように構成したことで、自注文が相場の変動にどのような影響を与えたかを視覚的にわかりやすく表示することが出来る。
ただし、過去モード時には自注文の注文数量の表示（図９、図１０）は行わないようにしてもよい。
上記に説明したように、オークション取引においては、買い側、売り側双方の最優先気配値での売り買いを繰り返しながら、上昇または下降トレンドが形成される。
また、形成されたトレンドには、スピードが速い（滞留期間が短い）もの、スピードが遅い(滞留時間が長い)ものがあり、このような価格形成の特徴を理解して取引を行うことが重要である。
本発明のティック足チャートを利用することにより、従来のローソク足チャートではローソク足中に隠蔽され、表現出来なかった価格の推移をリアルタイムに表現でき、素早く短期トレンドの方向性を読み取ることが出来る。
また、出来高の累計を組み込んで表示することで、トレンドの発生・反転ポイント、及び価格抵抗体における特徴的な出来高の刻みを確認することが出来る。
また、本発明のチャートのティック足ペアは時間の概念と直接結びついておらず、ティック値段ペアの発生時間帯における約定値段と売買注文との位置関係、及び約定値段の妥当性と当該売買注文によるマーケットインパクトの有無を明確に表現することができる。
従って、本発明のチャート表示装置は、新しい形の執行分析ツールとしても利用することも出来る。
【００９２】
なお、本発明のチャート表示装置においては、ティック足（Ｌ）４０Ａ、ティック足（Ｈ）４０Ｂのマウスポイント操作で、テクニカル数値をポップアップするようにしても良い。
また、ＯＭＳ５０及びチャート表示装置１０を単一の装置としている場合は、ティック足（Ｌ）４０Ａ、ティック足（Ｈ）４０Ｂをダブルクリック等することにより、注文発注画面を表示するようにしても良い。
専用チャート表示中の日足、分足を例えば右クリックすることにより、当該ローソク足の過去「ティック足チャート」、「ティックデータ」を表示するようにしても良い。
【００９３】
［その他のテクニカル指標］
以下に、第１表示エリア３０Ａに表示可能な「ティック足移動平均線」、「ＨＬバンド」、「ボリンジャーバンド」、「パラボリック」、「一目均衡表」等のテクニカル指標、第２表示エリア３０Ｂに表示可能な、ＲＳ１、ＲＳ２、ＲＣＩ、ＭＡＣＤなどの情報について概説する。
なお、移動平均等の各テクニカル指標の計算は、ティック値段ペアの終値（図３のティックデータにおけるティック値段ペア１では４９０円）から算出し、算出式及び描画は既存チャートと同様である。
「ティック足移動平均線」は、過去ｎ回分におけるティック値段ペアの終値を平均した数値を線グラフで表したテクニカル指標である。
【００９４】
「ＨＬバンド」は、過去の所定期間における高値・安値同士を線で結んだテクニカル指標である。高値同士を結んだ線を「Ｈ（Ｈｉｇｈ）バンド」、安値同士を結んだ線を「Ｌ（Ｌｏｗ）バンド」呼ぶ。
「ボリンジャーバンド」は、株価移動平均線と、その上下に値動きの幅を示す線を加えた指標である。より詳しくは、株価移動平均線とその標準偏差（±１σ、±２σ、±３σ）をチャートに重ねて描き、各ラインにかかる株価の分布状況から、株価が反転するタイミングを測るテクニカル指標である。
「パラボリック」は、ティック足チャート上のＳＡＲ（Ｓｔｏｐ  Ａｎｄ  Ｒｅｖｅｒｓｅ）という２本の線を結んだ放物線である。
ローソク足がＳＡＲを上抜けると「買いサイン」、下抜けると「売りサイン」と見なすことが出来る。
【００９５】
「一目均衡表」とは、異なる日数から計算した線（転換線、基準線、先行スパン１、先行スパン２、遅行スパン）からなるテクニカル指標である。
転換線＝（当日を含めた過去９日間の最高値＋最安値）÷２
基準線＝（当日を含めた過去２６日間の最高値＋最安値）÷２
先行スパン１＝｛（転換値＋基準値）÷２｝を２６日先行させて表示する線
先行スパン２＝｛（当日を含めた過去５２日間の最高値＋最安値）÷２｝を２６日先行させて表示する線
遅行スパン＝当日の終値を２６日遅行させて表示する線
【００９６】
ＭＡＣＤ（Moving Average Convergence and Divergence）は、移動平均収束発散法を意味する。
通常１２日と２６日の２本の平滑平均（単純平均とは異なる）を使用して、その差を「ＭＡＣＤ」と呼ぶ（ＭＡＣＤ＝１２日ＥＭＡ−２６日ＥＭＡ）。
また、ＭＡＣＤ自体の移動平均線（通常９日間を使用）を「シグナル」と呼び、「ＭＡＣＤ」と「シグナル」の２本の線のクロスの仕方や水準を読む。
【００９７】
ＲＳＩ（Relative Strength index）は相対力指数を意味する。過去の値動きに対する上昇幅の割合によって相対的に今の相場が強弱どちらに傾いているのか（過熱性）を表した指標である。
「ＲＳＩ」＝（一定期間の上げ幅の合計）／（一定期間の上げ幅の合計＋一定期間の下げ幅）×１００（％）
特に「ＲＳＩ１」は、当日を含まない過去ｎ日間の平均値上り率と平均値下り率を求め、最後に当日の値上り・値下りを加味した平均値をもとに数値が算出される。
【００９８】
また「ＲＳＩ２」は、当日を含む過去ｎ日間の終値の前日比から値上り分と値下り分の合計を求め、日数で割った数値から算出される。
ＲＣＩ（Rank Correlation Index）は順位相関指数を意味し、日付と価格夫々に順位をつけて両者にどれだけの相関関係があるのかを数値化するものである。
【００９９】
上記したが、本発明のチャート表示装置は、ティック足チャートのみならず、従来のローソクチャートやテクニカル指標を表示することが出来る。
図１１は、本発明のチャート表示装置において、従来のローソクチャート、テクニカル指標を表示した態様を示す図である。
テクニカル指標としては、「移動平均線」、「ＨＬバンド」、「ボリンジャーバンド」、「パラボリック」、「一目均衡表」等を表示可能である。
なお、ここでは、チャート表示装置１０が表示するチャート３０は、情報表示エリアとして、第１表示エリア３０Ａ、第２表示エリア３０Ｂ、第３表示エリア３０Ｃを備えているものとする。
【０１００】
図１１において、第１表示エリア３０Ａに、ローソクチャートを含む従来のテクニカル指標が表示されている。また、第２表示エリア３０Ｂには出来高チャート、第３表示エリア３０Ｃには、上述のＭＡＣＤが表示されている。
上記したように、これらのチャート、指標は相場における株価の時系列的な価格変化を示している。
【０１０１】
図１２は、図１１に示すチャートの枠線部分Ｘの時間帯に対応したティック足チャートを示す図である。
図１１に示す各チャート、指標は時間の経過に伴う株価の推移を示しており、投資家等はこれらに示される情報を用いて株価トレンドの移り変わりを中長期的に予測することが可能である。
それに対し、図１２に示すティックチャートでは、売買側夫々の最優先気配値に基づいて繰り返し現れるティック値段ペアに含まれるティック値段について、夫々の出現回数をブロックチャートの形式で表示している。
【０１０２】
ティック値段ペアの変化は、極めて短期のスパンで発生するものである。
高値側安値側それぞれで行われた個別の取引の出来高を集計した値、加えて、ティック値段ペアが変化するまでの時間の長短を観察することで、高値側、安値側どちらの値段での取引が活発かを知り得、その結果、相場の超短期的なトレンドを見極めることが出来る。
【０１０３】
図１１に示すチャートでは、図１２に示されるティックチャートで示される超短期的且つ膨大な情報を表現することが出来ない。
従来のチャート、特にローソクチャートは、所定の単位期間における始値、終値、高値、安値が表現される。
これらの値は、すなわち、「結果」であり、その結果が表れる原因、あるいは過程となった期間内の細かな値動きについては、なんら表現をしていない。
いち早く相場をつかみ、値上がり、値下がりの兆候に基づいて売買を行う必要がる昨今の高速取引では、そのようなスピード感では対応しきれないのも事実である。
【０１０４】
本発明のティックチャートは、上記のように、めまぐるしく変化するティック値段ペアにおける高値側、安値側の出来高を集計することで、従来の分足ローソクチャート、秒足ローソクチャートでは表現しきれない、超短期的なトレンドや値動き、値上がり、値下がりの兆候を表現するのに著しい効果を有する。
【０１０５】
なお、上記に説明したように、本発明のチャート表示装置１０は、チャート３０に表示するローソク足から本発明に特徴的なティック足チャートを表示することが出来る。
［第１の表示変更処理（ローソク足→ティック足チャート）］
図１３は、本発明に係る第１の表示変更処理を説明するフローチャートである。
第１の表示変更処理は、本発明のチャート表示装置において、ローソクチャートの表示からティックチャート、ティックデータを表示する処理である。
図４等に示される第１表示情報選択欄６５において、ローソク足チャートが選択されることで、第１表示エリア３０Ａにはローソク足チャートが表示される。
これは、データ集計処理部２３が、表示設定処理部によって設定された表示銘柄について情報受信処理サーバ２０１から取得されたティックデータを基に、ある特定期間内における始値、終値、高値、安値を集計し、チャート表示処理部２７ｂがローソク足としてチャート３０内に表示することで実現される。
【０１０６】
この状態で、チャート３０内のローソク足が、チャート表示装置１０が備える入力装置１６としてのマウスによって右クリックされると（ステップＳ３０１）、表示処理部２７に含まれる図示しない右クリックメニュー表示部がポップアップメニューを表示する（ステップＳ３０２）。
このポップアップメニューは、右クリックされたローソク足にかかる「ティック足チャート」、「ティックデータ」の何れを表示するかをユーザに選択させるものである。
ポップアップメニューに対する選択操作として、「ティック足チャート」を表示する旨が選択された場合（ステップＳ３０３でＹｅｓ）、データ取得処理部２２は、現在表示されているローソク足について設定されている銘柄を、情報受信処理サーバ２０１からのデータ取得対象銘柄とし、そのローソク足の日付、ローソク足の開始時刻から終了時そのローソク足の日付、ローソク足の開始時刻から終了時刻までの期間をデータ取得期間に設定する（ステップＳ３０４）。
【０１０７】
そして、ステップＳ３０５において、データ取得処理部２２、データ集計処理部２３は、図８に示した「過去モード」の処理を行う。
これによって、ある日付のある時間までの取引をもとに集計・表示されたローソク足から、それに対応したティック足チャートを表示することが出来る。
【０１０８】
なお、ローソク足チャートからのティック足チャートは、ローソク足チャートに替えて第１表示エリア３０Ａに表示しても良いし、ポップアップウィンドウ等の形式で表示されても良い。
上記のように、過去モードに用いる過去ティックデータは、情報受信処理サーバ２０１から受信するのではなく、チャート表示装置１０自身が有する、リアルモードでのチャート表示時に情報受信処理サーバ２０１から取得したキャッシュデータを用いても良い。
【０１０９】
ステップＳ３０３において、「ティック足チャート」の表示選択処理がなされず（ステップＳ３０３でＮｏ）、ステップＳ３０６で「ティックデータ」の表示選択処理がなされた場合（ステップＳ３０６でＹｅｓ）、データ取得処理部２２は、現在表示されているローソク足について設定されている銘柄を、情報受信処理サーバ２０１からのデータ取得対象銘柄とし、そのローソク足の日付、ローソク足の開始時刻から終了時までの期間をデータ取得期間に設定する（ステップＳ３０７）。
【０１１０】
そして、データ取得処理部２２は、ステップ３０７の設定に従って、情報受信処理サーバ２０１からティックデータを取得する（ステップＳ３０８）。
表示処理部２７に含まれる図示しないティックデータ表示処理部は、データ取得処理部２２が取得したティックデータをチャート３０内に表示する（ステップＳ３０９）。
ティックデータは、ポップアップウィンドウ等の形式で表示されても良い。
ステップＳ３０６において「ティックデータ」の表示選択処理が選択されない場合（ステップＳ３０６でＮｏ）、チャート表示装置１０は、第１の表示変更処理を終了する。
【０１１１】
また、本発明のチャート表示装置は、ティック足からティックデータを表示することも可能である。
［第２の表示変更処理］
図１４は、本発明に係る第２の表示変更処理を説明するフローチャートである。
第２の表示変更処理は、本発明のチャート表示装置において、ティック足からティックデータを表示する処理である。
図７、図８の処理によって、既に、チャート３０内にティック足チャート４０が表示されているものとする。
【０１１２】
この状態で、チャート３０内のティック足が、チャート表示装置１０が備える入力装置１６としてのマウスによって右クリックされると（ステップＳ３５１でＹｅｓ）、表示処理部２７に含まれる図示しない右クリックメニュー表示部がポップアップメニューを表示する（ステップＳ３５２）。
このポップアップメニューは、右クリックされたティック足にかかる「ティックデータ」を表示するか否か（「ティックデータ」表示選択処理を行うか否か）をユーザに選択させるものである。
【０１１３】
この状態で、「ティックデータ」表示選択処理がなされると、データ取得処理部２２は、現在表示されているティック足について設定されている銘柄を、情報受信処理サーバ２０１からのデータ取得対象銘柄とし、そのティック足の日付、ティック足の開始時刻から終了時刻までの期間をデータ取得期間に設定する（ステップＳ３５４）。
そして、データ取得処理部２２は、ステップ３５４の設定に従って、情報受信処理サーバ２０１からティックデータを取得する（ステップＳ３５５）。
【０１１４】
表示処理部２７に含まれる図示しないティックデータ表示処理部は、データ取得処理部２２が取得したティックデータをチャート３０内に表示する（ステップＳ３５６）。
ティックデータは、ポップアップウィンドウ等の形式で表示されても良い。
ステップＳ３５３において「ティックデータ」の表示選択処理が選択されない場合（ステップＳ３５３でＮｏ）、チャート表示装置１０は、第２の表示変更処理を終了する。
以上の特徴に加え、本発明のチャート表示装置は、第１表示エリア３０Ａに表示中のローソク足について、日足、分足との間で自由に表示を変更することが出来る。
【０１１５】
［第１の発明］
取引対象に対して行われた各取引における売買価格、売買高及び取引時刻を含む取引情報を、ネットワークＮＷを介して取引所側装置１００から取得するデータ取得処理部２２と、取引情報中において交互に現れる第１の売買価格及び第２の売買価格よりなる一つ以上の売買価格ペアの夫々について、第１の売買価格で行われた取引の全売買高と第２の売買価格で行われた取引の全売買高を集計するデータ集計処理部２３と、各売買価格ペア毎に、第１の売買価格及び第２の取引価格に全売買高を夫々関連づけたチャート３０を表示装置１３に表示する処理を行うチャート表示処理部２７ｂと、を備えるチャート表示装置を特徴とする。
本発明によれば、従来のチャート（特にローソクチャート）では隠蔽され表現出来なかった短期的な価格の推移をリアルタイムに表現可能であるとともに、短期的なトレンドの方向性を読み取ることが可能なチャートを表示できる。
【０１１６】
［第２の発明］
取引対象は、取引所側装置から供給される板情報に基づいて売買される株式であり、売買価格ペアにおいて、第１の売買価格は板情報に含まれる売り注文のうち最も優先される売り気配値に基づく売買価格であり、第２の売買価格は板情報に含まれる買い注文のうち最も優先される買い気配値に基づく売買価格であり、売買価格ペアは、売り注文又は買い注文の消化に伴って変化するチャート表示装置を特徴とする。
本発明によれば、従来のチャート（特にローソクチャート）では隠蔽され表現出来なかった短期的な株価の推移をリアルタイムに表現可能であるとともに、株価の短期トレンドの方向性を読み取ることが可能なチャートを表示できる。
【０１１７】
［第３の発明］
チャート３０において、時間軸を一方の軸とし、売買価格を他方の軸とし、売買価格ペアに含まれる取引時刻に基づいて各売買価格ペアを表す領域を一方の軸に沿って並べて表示し、且つ各売買価格を示す領域を他方の軸に沿って並べて表示するチャート表示装置を特徴とする。
［第４の発明］
各売買価格ペアにおける最終の取引時刻間の時間に基づいて一つの売買価格ペアによる取引が継続した継続期間を演算する継続期間演算手段２７ｃと、売買価格ペアごとに継続期間に基づく取引速度を視覚的に示すインジケータをチャートとともに表示するインジケータ表示処理部と、を備えるチャート表示装置を特徴とする。
これにより、値段変化のスピードを視覚的に捉えやすくすることが出来る。
【０１１８】
［第５の発明］
データ取得処理部２２は、取引所側の装置に対して行った取引対象に対する売買注文における売買価格、取引時刻を含む履歴情報を保持可能な注文管理装置から履歴情報を取得し、チャート表示処理部２７ｂは、取引情報に含まれる取引が履歴情報に含まれる売買注文と一致すると判断した場合、該取引にかかる売買高を第１の売買価格又は第２の取引価格の全売買高と併せて表示するチャート表示装置を特徴とする。
このように構成したことで、自注文が相場の変動にどのような影響を与えたかを視覚的にわかりやすく表示することが出来る。
【０１１９】
［第６の発明］
データ取得処理部２２と、データ集計処理部２３と、チャート表示処理部２７ｂと、を備え、取引所における取引対象の値動きをチャート表示するチャート表示装置のチャート表示方法であって、データ取得処理部２２が、取引対象に対して行われた各取引における売買価格、売買高及び取引時刻を含む取引情報を、ネットワークを介して取引所側装置から取得するデータ取得ステップと、データ集計処理部２３が、取引情報中において交互に現れる第１の売買価格及び第２の売買価格よりなる一つ以上の売買価格ペアの夫々について、第１の売買価格で行われた取引の全売買高と第２の売買価格で行われた取引の全売買高を集計する集計ステップと、チャート表示処理部２７ｂが、各売買価格ペア毎に、第１の売買価格及び第２の取引価格に全売買高を夫々関連づけたチャートを表示装置に表示する処理を行う表示処理ステップと、を、有するチャート表示方法を特徴とする。
本発明によれば、従来のチャート（特にローソクチャート）では隠蔽され表現出来なかった短期的な価格の推移をリアルタイムに表現可能であるとともに、短期的なトレンドの方向性を読み取ることが可能なチャートを表示できる。
［第７の発明］
第６の発明のチャート表示方法をコンピュータに実行させるためのチャート表示プログラムを特徴とする。
【符号の説明】
【０１２０】
１  チャート表示装置、２  仲介サーバシステム、１０  チャート表示装置、１１  ＣＰＵ、１２  ＲＡＭ、１３  表示装置、１４  記憶装置、１６  入力装置、２１  表示設定処理部、２２  データ取得処理部、２３  データ集計処理部２３  滞留時間演算処理部、２５  テクニカル指標、２６  四本値演算処理部、２７  表示処理部、表示処理部２７（２７ａ  板情報表示処理部、２７ｂ  チャート表示処理部、２７ｃ  滞留時間表示処理部、２７ｄ  インジケータ表示処理部、２７ｅ  テクニカル指標表示処理部、２７ｆ  四本値表示処理部、２７ｇ  合計出来高表示処理部、２７ｈ  終了時刻表示処理部、２７ｉ  ティック回数表示処理部）、３０  値動きチャート、３１  ティックチャート表示欄、３２  終了時刻表示欄、３３  滞留時間表示欄、３４  インジケータ表示欄、３５  ティック値段表示欄、３６  合計出来高表示欄、３７  ティック回数表示欄、３８  四本値表示欄、３９  気配数量表示欄、４０Ａ  ティック足（Ｌ）、４０Ｂ  ティック足（Ｈ）、１００  取引所側装置、２００  売買処理サーバ、２０１  情報受信処理装置
【図１】
2015156188.tif 000003
【図２】
2015156188.tif 000004
【図３】
2015156188.tif 000005
【図４】
2015156188.tif 000006
【図５】
2015156188.tif 000007
【図６】
2015156188.tif 000008
【図７】
2015156188.tif 000009
【図８】
2015156188.tif 000010
【図９】
2015156188.tif 000011
【図１０】
2015156188.tif 000012
【図１１】
2015156188.tif 000013
【図１２】
2015156188.tif 000014
【図１３】
2015156188.tif 000015
【図１４】
2015156188.tif 000016